(57)【要約】      （修正有）【課題】  モータが発生させる力、回転するモータにおけるトルクおよび線形的なモータにおける線形的に作用する力または「牽引力」を増大させる。【解決手段】  自己始動ブラシレス電気モータであって、強磁性極１３Ｓまたは永久磁石極１４Ａを構成する、列をなして配置された極を備える第１のモータ部分（固定子）１１と、強磁性極１６Ａまたは永久磁石極からなり第１のモータ部分１１の極の列に対向して配置される、列をなして配置される極を備える第２のモータ部分（回転子）１２とを有する。強磁性突極を備えるモータ部分、または双方のモータ部分が強磁性突極を有するならば、モータ部分の少なくとも一方は、永久磁石極および第１のモータ部分の磁化巻線を有する。極の列により形成される極のシステムは、モータ部分１１、１２が互いに関連して運動可能な方向に磁気的に非対称である。【選択図】図１
2006174699.tif 000002
【特許請求の範囲】
【請求項１】
自己始動ブラシレス電気モータであって、
第１の極の列に間隔をおかれた関係で配置される複数の極群を有する強磁性の第１のモータ部分を含み、各極群は永久磁石極を含み、
前記自己始動ブラシレス電気モータはさらに、
第２の極の列に均等に間隔をおかれた関係で配置される複数のリラクタンス極を有する強磁性の第２のモータ部分を含み、各リラクタンス極は前記第１の極の列の前記永久磁石極と磁気的に整列可能であり、各リラクタンス極は、主極部分と、前記主極部分から第１および第２のモータ部分の相対運動の優先的方向に突出し、かつモータ部分の前記相対運動の間、前記第１の極の列の極と継続的に相互作用する補助極部分とを有し、
前記自己始動ブラシレス電気モータはさらに、
エアギャップを通して前記第２の極の列に対面する前記第１の極の列との相対運動のための前記第１のモータ部分および前記第２のモータ部分を支持する軸受手段と、
各極群に対して、前記極群と関連づけて配置されてコイルにエネルギが供給された際に前記極群を通して前記第１および前記第２の極の列の極を接合する磁界を生成する、別々の巻線コイルを有する、前記第１のモータ部分の巻線システムとを含み、
前記第１および前記第２の極の列は、前記巻線システムにエネルギが供給された際および前記巻線システムへのエネルギが断たれた際双方において、前記モータ部分の相対運動の前記優先的方向を与える磁気的に非対称を示す極システムを構成する、自己始動ブラシレス電気モータであって、
前記第１の極の列が永久磁石極のみを含み、
前記第１の極の列の各極群が１対の永久磁石極を含み、
前記１対の永久磁石極はエアギャップに対して反対方向に横切って分極され、
前記第２の極の列のリラクタンス極が前記１対の永久磁石極の一方の永久磁石極と磁気的に整列されるときはいつでも、整列されたリラクタンス極と前記第２の極の列の近接のリラクタンス極とを分離している空間に対向して前記１対の永久磁石極の他方の永久磁石極があるように、前記１対の永久磁石極が前記第１の極の列に沿って位置決めされる、ことを特徴とする自己始動ブラス電気モータ。
【請求項２】
前記第２の極の列の前記リラクタンス極の前記補助極部分は、前記第２の極の列に沿い測定される長さを有し、前記第２のモータ部分のリラクタンス極が、前記１対の永久磁石極のうちの、前記第１のモータ部分の相対運動の優先的方向から見たときに先導している永久磁石極と磁気的に整列されるときに、前記リラクタンス極の前記補助極部分は前記１対の永久磁石極のうちの他方の永久磁石極の少なくとも近傍に延在することを特徴とする、請求項１記載のモータ。
【請求項３】
前記リラクタンス極が前記先導している永久磁石極と磁気的に整列するときに、前記リラクタンス極の前記補助極部分は前記他方の永久磁石極とわずかに重なることを特徴とする、請求項２記載のモータ。
【請求項４】
前記第１の極の列の前記極群の各永久磁石極は、主極部分と、前記主極部分から前記第２のモータ部分に対する前記第１のモータ部分の運動の前記優先的方向に突出する補助極部分とを含むことを特徴とする請求項２記載のモータ。
【請求項５】
前記リラクタンス極が前記先導している永久磁石極と磁気的に整列するときに、前記リラクタンス極の前記補助極部分は前記他方の永久磁石極の補助極部分とわずかに重なることを特徴とする請求項４記載のモータ。
【請求項６】
前記極群の各永久磁石極が、対称であることを特徴とする請求項２または３記載のモー
タ。
【請求項７】
前記モータが回転モータであり、前記第１の極の列が少なくとも１つの直径方向に対向する極群を含むことを特徴とする請求項１〜６のいずれか１項に記載のモータ。
【請求項８】
特に、しかしそれに限らない、明細書および／または添付の図面に記載された特徴のいずれかの選択された組合せを含む回転モータである、自動始動ブラシレスモータ。
【発明の詳細な説明】
【技術分野】
【０００１】
この発明は、極システムにおいて、２つの相対的に移動するモータ部の少なくとも一方におけるリラクタンスの極（強磁性突極）、および１つ以上の永久磁石の極を含むタイプの、自己始動ブラシレス電気モータに関する。
【背景技術】
【０００２】
自己始動ブラシレス電気モータは、単一極性の直流パルスまたは交流の極性の供給を受けることができる。適度の軸動を備えるモータが電子的に供給を受けるとき、直流パルスの供給では、最小数の電子スイッチが用いられるためモータおよび供給エレクトロニクスについてのシステムコストは最低となる。他方、より大きな動力に対しては、モータの供給エレクトロニクスにおける電子スイッチの数をとにかく増加させねばならないときには、モータに交流極性を与えて両半周期中電力がモータに供給されるようにし、より均一的なトルクの成長を可能にし、かつ巻線における導電損失を減じることが有利であろう。
【０００３】
単一ストランドのブラシレスモータは、単一の外部電流源からの供給を受け、互いに関し回転可能さもなければ移動可能な２つ以上の部分のうち一方に設けられた巻線を１つのみ有する。このようなモータは自己始動であることが可能であり、すなわち、停止時に予め定められた方向、優先始動方向に、もしこの始動方向がモータの設計において固有のものであるならば、駆動トルクを成長させることができる。優先方向における自己始動は、たとえば非対称の突極および／または非対称の永久磁石極により軟磁性鉄心に非対称を設けることにより、またはたとえば既知のくま取りコイル形モータにおける短絡電流経路といったように、補助巻線に外部電流源への接続を与えないことにより、モータに組込むことが可能である。こうした電流経路は、こうした電流経路に接続された変化する磁界の影響下でのみ電流を伝えることができる。モータの静止時に電流がこのような電流経路を流れるためには、外部電流源に接続された巻線にパルス電流または交流を供給しなければならない。
【０００４】
理論上は、補助巻線は設けられていないがモータの巻線にエネルギが供給されていないときでさえいかなる回転位置においてもトルクを発することができるモータは常に、永久磁石極を含まねばならないことを示すことが可能である。
【０００５】
以下における記載は、巻線を備え以下で固定子と呼ばれる第１の部分と、固定子内部に配置され固定子に関連して回転可能な、以下で回転子と呼ばれる第２の部分とを有する、回転運動のためのモータに限定される。しかしながら、これら２つの部分の場所を交換することが可能であり、固定子を回転子から分離するエアギャップは円柱形である必要はなく均等に平坦であるかまたは円錐形でもよく、モータの上記部分間の相対運動は回転である必要はなく、均等に線形的であるかまたは回転および線形の組合せでもよく、すなわち回転軸に関し回転軸に沿い同時に発生するものである。
【０００６】
モータの機能は、各回転ごとに所与の回数繰返されるワークサイクルを含むものとして説明できる。非常に速度が小さいとき、たとえば停止からの始動時には、１つの極性のＤＣパルスの供給を受けるように設計されたモータに対するワークサイクルは、巻線が電流を搬送するときの１つの部分と、巻線に電流がないときの別の部分とからなる。交流極性の電流パルスの供給を受けるように設計されたモータに対しては、ワークサイクルは、巻線が１つの極性の電流の供給を受けているときの１つの部分、続く電流のない部分、その後の巻線が反対の極性の電流の供給を受けているときの部分、およびその後のワークサイクルの別の電流のない部分からなる。
【０００７】
電流のない状態では、回転子は始動位置、すなわち巻線が電流の供給を受けているならば駆動トルクを生じさせる、すなわちモータにおいておよび／またはモータにより駆動される物体における何らかの摩擦トルクなどを克服するに十分高い、モータの優先方向におけるトルクを生じさせる位置に達しなければならない。
永久磁石の力によりモータにおいて発生したトルクは、巻線に対するエネルギ供給が可能な位置に回転子が到達するまでその方向を維持しかつ十分な強度を備えなければならない。電流のない状態においてトルクを成長させることに対する要求は、モータが少なくとも１つの永久磁石の極を含まねばならないことを意味することが理解されるだろう。
【０００８】
上記の原理に従い動作し極システムにおいて磁気の非対称を示すモータは、特許文献１および特許文献２より既知である。
【特許文献１】国際公開第９０／０２４３７号パンフレット
【特許文献２】国際公開第９２／１２５６７号パンフレット
【発明の開示】
【発明が解決しようとする課題】
【０００９】
本発明の目的は、上記の特許文献１および特許文献２におけるモータにより示されるタイプのモータにおける改良点を得ることである。
【００１０】
この目的は、添付の請求項に規定される、磁気的に活性な固定子および回転子素子（極）の配置により達成される。
【００１１】
構造上の代替実施例を実現する機会に加え、本発明はまた、モータが発生させる力、回転するモータにおけるトルクおよび線形的なモータにおける線形的に作用する力または「牽引力」を、以下のように１つ以上の点について増大させる機会を提供する。
【００１２】
電流のないモータの回転子を最も近い始動位置に引寄せる、永久磁石極により発生されるトルクを増大させる。このような改良点は、たとえばシャフトシールにおいて大きな摩擦トルクが駆動される物体に現れ得るような応用例においては有利である。
【００１３】
回転子が始動位置で静止しており巻線に利用可能な最大の電流が供給されているモータに現れるトルクを増大させる。このような改良点はまた、前パラグラフで述べたような状況において有利である。
【００１４】
少なくともある実施例において、所与の熱損失に対するモータのエアギャップの力を増大させ、所与の目的に対しより小さくかつコスト上より好ましいモータを提供する。これは、たとえば手で支える道具または他の手で支える物体といったあるタイプの応用例においてモータの重量が小さいことが重要である場合には非常に有利となるだろうが、供給エレクトロニクスにおける避けられないコストの増大が効果を相殺しないとすれば一般的にコスト的にも有利でもある。
【課題を解決するための手段】
【００１５】
本発明に関連するモータにおける磁気的に活性な素子は以下のとおりである。
【００１６】
固定子におけるコイル
原則的にはコイルは単一電流回路を形成し直列および／または並列に接続可能である。供給エレクトロニクスが並列に動作するいくつかのユニットからなる場合、これらは各々が自身のコイルにまたはコイル群にあたかも単一の電気回路を形成するように接続可能である。巻線に交流極性を供給する代わりに、２つの部分の巻線を用いることができ、巻線
の２つの半分の部分には単一電流極性が与えられるが、巻線の半分の部分は磁気的に反対の方向を有する。
【００１７】
強磁性突極（リラクタンス極）
本発明に従い示される多くのモータでは、以下ではまたリラクタンス極とも呼ばれる強磁性突極はまた、単独でまたは永久磁石の極とともに固定子で見うけられることになる。
【００１８】
回転子にもリラクタンス極が存在する可能性があるが、好ましくは永久磁石の極とは混在しない。回転子におけるこうした極のタイプの混在は予測可能だが通常は意味のないものである。
【００１９】
固定子および回転子双方におけるリラクタンス極は磁気的に非対称でもよい。磁気的に非対称の固定子極については、非対称はモータの運動の優先方向に反対の方向に向けられるべきであるが、回転子では非対称は運動の優先方向と同じ方向であるべきものである。
【００２０】
その代わりとしてまたは加えて、固定子および回転子双方のリラクタンス極は、上記の方向と反対方向の何らかの磁気的な非対称を示してもよく、これによりモータが動作不能になることはない。
【００２１】
永久磁石極
回転子のリラクタンス極のみを備えるモータは常に固定子に永久磁石極を備えていなければならない。固定子の永久磁石極は好ましくは磁気的に平衡がとれている、すなわち両極性の数および大きさが等しい。
【００２２】
永久磁石極が非対称であることが有利である場合がある。
【００２３】
単一極性の電流パルスの供給を受けるように設計された永久磁石回転子極を備えるモータは、固定子に永久磁石極を常に備えていなければならない。このような永久磁石極の形状が非対称であり、主極部分および補助極部分を有する場合、有利には、主極部分は補助極部分の方向と反対方向に、たとえば主極部分のみからなる、極が対称であるならば存在するであろう位置から、ずらされてもよい。
【００２４】
永久磁石回転子極を備えるモータには、固定子に永久磁石極がないかもしれない。このようなモータは、交流極性の電流パルスの供給を受けるときのみ自己始動である。こうしたモータは、単一極性の電流パルスの供給を受けるモータよりも均一的なトルクの成長、および所与の巻線の損失に対しより大きな平均トルクを有することになるであろう。
【００２５】
対称の永久磁石極および非対称の永久磁石極双方は、斜めの端部またはエッジ、すなわち回転子の軸の方向に対しある角度で延びるエッジを有し得る。永久磁石の極のエッジがこのように斜めになっていることがモータの機能に非常に有利である場合がある。このような斜めにされたエッジは幾何学的形状において実施される必要はない。エッジが、（たとえば永久磁石極において）インプリントされた磁気分極に関する境界線（境界ゾーン）からなる、すなわち永久磁石極が磁化されるときにインプリントされることで十分である。
【００２６】
同じ磁気分極のこうした境界線またはゾーンは、線形的以外に延びていてもよく、その場合モータの機能に大きな影響を与えることはない。
【００２７】
磁気の非対称は、本発明および添付の請求項の範囲内でいくつかの方法で達成することができ、それらのいくつかについて以下で説明する。
【００２８】
先行技術によるモータのように、磁気非対称は、モータに優先的始動方向を組入れることを目的とするが、本発明に従うモータにおける磁気非対称はまた他の目的にも役立つものである。
【００２９】
基本的に、本発明において用いられるような磁気非対称のさらなる目的は、本明細書において引寄せ距離と名付けられるものを延長させることである。この距離は、モータ部分の一方における永久磁石極または磁化されたリラクタンス極が、他方のモータ部分における極を十分に引付けて、２つの極が引込み位置のような第１の安定位置から始動位置のような次の安定位置へと互いに引寄せられるようにできる距離である。この場合、２つの極は磁気的に互いに整列しており、そのため、相対運動の方向において引く力は極間に存在しない（その方向を横切る方向における磁気的な引きのみ）。
【００３０】
この引寄せ運動中、２つの極間のパーミアンスまたは言い換えればこれらの間を通過する磁束（起磁力が一定であると仮定する）が、極が磁気的に整列しているときに発生する最大値まで着実に増大する。引寄せ距離の延長はこのように、引寄せ距離にわたる磁束変化の率の平均値の低減を必要とする。
【００３１】
このような低減は、磁気非対称により、たとえば極の少なくとも一方に相対的に優先的な始動方向に延在するさらなる極部分を設けて、極が主極部分および優先始動方向を定める補助極部分を有するようにすることにより可能である。
【００３２】
始動位置および引込み位置において、補助極部分は少なくとも、他方のモータ部分の次の極（相対的な優先始動方向において見られる）の近傍における点まで延在し、わずかにその極と重なり合っていてもよい。しかしながら、補助極部分の重なり合う部分は、主極部分の重なり合う部分のように重なり合いの単位長さ（円周方向に測定される）あたりの磁束の量ほどの磁束を搬送してはならない。
【００３３】
例として選択した回転子モータにおいて、固定子極および回転子極双方の前端部および後端部双方が軸方向に延在すると仮定すると、固定子極の磁気非対称は多くの場合原則的には以下のようにして観察される。モータの回転子は、回転子と直径が同じである均質な強磁性の円柱と置換えられ、エアギャップにおける磁束密度は円柱が回転し極を通過して回転の優先方向におけるラインを移動させるときに円柱の表面で軸方向に延在するラインに沿って測定される。極に関するラインの角度的位置に対する測定された磁束密度（ラインの長さにわたり平均化されたもの）を示すグラフは、極の前端部での０に近いポイントから、極の主要部分下のおよそ一定の値までいくぶん徐々にまたはいくぶんはっきりした段階を経て上昇し、次に後端部で急激に減少する。もし極がその代わりに磁気的に対称であれば、グラフは対称でガウス曲線に似たものとなるであろう。
【００３４】
適切な変形を加えると、上記の原則はまた他の場合にも適用可能であり、たとえば、回転子極、またはその前端部および後端部が軸方向に延在しない極の磁気非対称を観察するときのような場合である。例として、極の端部が斜めにされて螺旋に沿って延在する場合、対応する斜めのラインに沿い発生する磁束密度の測定により観測可能である。
【００３５】
均一的な放射方向の大きさおよび均一的な放射方向の磁気分極を有する永久磁石極の場合、磁極の非対称は極の形状の結果として生じる可能性がある。たとえば、極の前端部および後端部は、モータの軸方向において異なる長さを有してもよい。同様の効果を、厚みが均一である永久磁石材料のリングにおける、対応の形状を有する磁気的にインプリントする極によって得ることができる。この場合、永久磁石リングの形状は、磁気パターンまたは「磁気形状」と何の関係もない。
【００３６】
磁極非対称はまた、前端部および後端部それぞれにおいて放射方向の大きさが異なる永久磁石極を与えることにより（すなわち極でのエアギャップの幅をモータ部分の相対運動の方向において変化するようにすることにより）、しかし全体の体積にわたり均一的に強い磁化を与えることにより達成できる。
【００３７】
永久磁石極に対し磁気非対称を可能にするために、いくつかの方法を同時に用いることはもちろん可能である。
【００３８】
強磁性突極、リラクタンス極に対し磁気非対称を実現するいくつかの方法がまたある。１つの方法は、エアギャップに面するこのような極の表面を、モータの軸方向における延在に関し非対称に配置することである。この場合、全体の極の表面は、回転軸から同じ放射方向の距離に位置する。
【００３９】
別の方法は、リラクタンス極の突出する面（エアギャップに面する面）を対称にするが、回転軸からの放射方向の距離を変化させる、すなわち極表面に沿うエアギャップの幅を段階的にまたは絶え間なく、他方のモータ部分の架空の（円筒形の）表面に関し変化させることである。
【００４０】
第３の方法は、極表面に沿い飽和磁束密度を変化させることである。これは、突極の異なる部分に対し異なる磁気材料を用いることにより、または成層強磁性極の充填要素を変化させることにより、またはたとえば実際の極の表面の下方に（実際の極の表面が均質に見えるように）打抜いた窪みにより、または鳥の湾曲した嘴の輪郭に似た形状を有するように補助極部分の放射方向の大きさを変化させることにより、達成可能である。
【００４１】
もちろん磁気非対称を達成するいくつかの方法を同時に用いることができる。非対称実現方法の選択は、通常、実際のモータの製造コストおよび供給エレクトロニクスのコスト間のバランスに依存する。なぜなら、非対称のタイプの選択は、供給エレクトロニクスに含まれるパワー電子スイッチ要素の大きさに影響し得るからである。
【００４２】
後に明らかにされるように、本発明を実施するモータでは、共通の巻線コイルに関連する極群の個々の極のみを、群のすべての極が、コイルにエネルギを供給する際に発生する磁界の影響を受けるように特徴づけるだけではない。本発明を実施するモータはまた、１つ以上の個々の極の磁気非対称によるのみでなく、極群内または回転子の個々の極の非対称の位置決めにより、極群を特徴づけ得る。
【００４３】
固定子の極群の極は、回転子極が、固定子極と磁気的に整列されている位置と、回転子の何らかの極が極タイプの異なる固定子極と、または永久磁石のみを有する固定子の場合は極性の異なる極と磁気的に整列している次の隣接する位置との間で移動しているときの、回転子極ピッチの２分の１よりも長いまたは短い距離を通して運動するならば、非対称に位置決めされる。
【００４４】
言い換えれば、たとえば固定子の永久磁石極は、回転子が回転子極が永久磁石極と磁気的に整列している位置すなわち始動位置と、回転子極−いかなる回転子極でもよい−が引込み位置にある次の後続のまたは次の先行する位置との間で移動しているとき、回転子極が回転子極ピッチの２分の１よりも長いまたは短い距離を横切るならば、同じまたは異なる極群におけるリラクタンス極に関して非対称に位置決めされる。
【００４５】
対応する態様で、極の非対称の位置決めの結果発生する磁気非対称はまた回転子にも存在し得る。たとえば、交流極性の永久磁石極を含む回転子における極の列において、北極
永久磁石極は南極永久磁石極間の中心位置からいずれの方向にも、すべての同様の極間に実質的に等しい間隔をおいて配置可能である。
【００４６】
なお、本発明の文脈では、極群（極ユニット）は、磁化コイルと関連する１つの極または複数の極を含み得る。
【発明を実施するための最良の形態】
【００４７】
本発明について、添付の図面において概略的に示される多数の実施例に関連づけてより詳細に説明する。
【００４８】
図面を通して、放射方向に磁化される永久磁石極の極性は、磁石の北極側を指し示す矢尻により示される。
【００４９】
さらに、図面に示されるすべての実施例において、固定子および／または回転子極の非対称は、回転子の優先的始動方向が反時計回りとなるように方向づけられている。
【００５０】
図１Ａは、回転モータの第１の実施例の端面図を示す。その固定子は、磁化巻線を備え、２つの同一の直径方向に対向する極群を有し、各々は２つの対称のリラクタンス極およびその間に配置された非対称の永久磁石極からなる。完全に引込まれた回転位置で示される回転子は、４つの非対称のリラクタンス極を有する。図１Ｂは、エアギャップ内部から見た、動作位置から軸方向にずらされた、しかしさもなければ図１Ａでとる互いに関連する位置にある、モータにおける極の列の一部の展開図である。図１Ｃは、図１Ａと同じ方法でモータを示し、固定子および回転子における永久磁石の磁界ラインが挿入される。図１Ｄは、図１のモータの縦方向の断面図である。図１Ｅは、図１Ｂと同様の図であるが、同じ軸方向の位置にあるが異なる相対位置にずらされている固定子および回転子の極を示しており、さらに、固定子の永久磁石極と回転子のリラクタンス極との間に作用する磁気の引寄せの力を表わすグラフを含む。
【００５１】
図１Ａ−１Ｃに示されるモータは回転モータであり、他のモータと同様、成層強磁性固定子１１の形式の第１のモータ部分と、図１Ｄに示されるような適切な軸受により固定子において回転運動のために回動支持される成層強磁性回転子１２の形式の第２のモータ部分とを備える。回転子の回転軸は１２Ａと示される小さな円によって示されており、回転の優先方向は矢印（すべての図示の実施例では反時計回り）により示されている。
【００５２】
固定子１１は、直径方向に対向する２つの極群を有する。各極群は、２つの強磁性の突極１３Ｓを含み、これはまたリラクタンス極とも呼ばれ、円周方向に互いに間隔がおかれ、永久磁石極１４Ａが間に配置される。回転子に面するこの極１４Ａの表面は、回転子の回転軸１２Ａと同心の円柱形表面に位置する。
【００５３】
各極群に対し、固定子１１はまた、極群に巻付けられ共通の磁化巻線の部分を形成するコイル１５を備える。
【００５４】
回転子１２の外側にその周囲に均一的に配置されるのは、４つの強磁性突極１６Ａでありこれはまたリラクタンス極とも呼ばれる。固定子に面するこれら極の表面は、固定子の極表面を含む円柱から短距離のところに、回転軸１２Ａと同心である円柱に位置し、固定子の極表面および回転子の極表面はその間にエアギャップ１７を形成する。回転子１２の極ピッチは、固定子１１の各極群内のリラクタンス極１３Ｓの間隔に相当する。
【００５５】
図１Ａから１Ｄに示される実施例では、固定子１１のすべての極１３Ｓおよび１４Ａならびに回転子１２の極１６Ａは、回転の軸に垂直な同じ面に位置しているため、回転中回
転子のすべての極は固定子のすべての極を通過しそれらと相互作用する。モータはもちろんこの態様で配置された軸方向に分離された極群のいくつかの組を含み得る。さらに、回転子のまわりで延びる閉じられた経路または列に配置される代わりに、各モータ部分の極がたとえば螺旋経路で配置されてもよい。
【００５６】
固定子のリラクタンス極１３Ｓの極表面は、この応用例で意図される意味において磁気的に対称である。その重要性は、もし回転子１２を均質の強磁性の円柱に置換える場合、そのエンベロープ表面が、そうでなければ回転子極１６Ａが位置する円柱表面と一致し、磁界が、電流が巻線１５に供給されたときにエアギャップ１７を通して固定子極の極表面の下方およびそのまわりを流れ、磁界がそのように分布するので、固定子に関するこの円柱の角度位置の関数として引かれる上記強磁性の円柱表面の母線に沿う磁束密度の平均値の図が、たとえばガウス曲線と同じタイプの対称性を示し、すなわち横座標に垂直な線に関する鏡像対称であることである。
【００５７】
他方、永久磁石極１４Ａは磁気的に非対称である。なぜなら、永久磁石極は回転子の回転方向に対向する面側に突出部１４′を有するからである。この突出部は、幅すなわち回転軸１２Ａに並列する大きさが、極の主部分にわたる大きさよりも小さなこの側の極１４Ａにより生じる。全幅を有する永久磁石極１４Ａの部分は、主極部分を構成するということができ、一方より狭い突出部は、図で１４′により示される補助極部分を構成するということができる。
【００５８】
回転子１２のリラクタンス極１６Ａもまた、対応する態様で非対称である。なぜなら、リラクタンス極はその先頭または反時計回り側に、極の主部分（主極部分）よりも幅の小さな突出部１６′（補助極部分）が設けられているからであり、この側は、回転方向に向いている。
【００５９】
上記から明らかなように、極における非対称は、前述の方法以外の方法で達成できる。代替方法の一例が、図１Ａおよび１Ｂの一点鎖線で示されている。この代替例では、各極は軸および円周全体の大きさにわたり同じ幅を有するが、一方の側では、極の面は内部に向かい放射方向にオフセットされているため、エアギャップ１７はこの側では極の主部分にわたってよりも大きい。
【００６０】
図１Ｂは、エアギャップ１７内部から見た、図１Ａの固定子および回転子の極群の１つの展開図を示し、回転子極は固定子極群に関し軸方向にずらされている。並列する一点鎖線ＲおよびＳは、回転子および固定子間の相対運動の方向を示し、これらに垂直な一点鎖線Ｌは、固定子極間の中心線を表わす。固定子および回転子極の互いに関する位置は、図１Ａに示される相対位置に対応し、電流が巻線１５に供給されるときに固定子に関して回転子がとる安定した位置であり、そのため、リラクタンス極１３Ｓはリラクタンス極に対向する主極部分に対し引付けられたまたは引込まれた位置に回転子極１６Ａを保つ傾向がある。
【００６１】
この回転位置で巻線に電流がもはや供給されないとき、永久磁石極１４Ａからの永久磁石の磁束のみが回転子に作用しこれを始動位置の方向にさらに引寄せる。図１Ｃは、この位置における永久磁石極の磁束パターンを示す。
【００６２】
図１Ａ−１Ｄに示されるように、引込み位置では２つの回転子極１６Ａの補助極部分１６′、右上および左下の回転子極は、永久磁石極１４の補助極部分１４′まで延在し、好ましくはさらに補助極部分にわずかに重なる。回転子極の永久磁石極および補助極部分のこの相対的な位置は、永久磁石極１４がこれら回転子極に及ぼす磁気的に引付ける力、すなわち永久磁石極１４Ａにより回転子１２に与えられる反時計回りのトルクが、巻線に電
流がないとして、その最大または最大に近い位置である。
【００６３】
同時に、他方の２つの回転子極１６すなわち左上および右下の回転子極の、永久磁石極１４Ａからの間隔は十分であり、そのため、永久磁石極はわずかな時計回りのトルクを回転子に与えるのみである。
【００６４】
したがって、永久磁石極１４Ａにより回転子に与えられる正味の反時計回りのトルクは、引込み位置から反時計回りに回転子１２を力強く押し、回転子極ピッチの２分の１に対応する角度にターンさせ、回転子極１６Ａを始動位置にすることができる（引寄せ運動）。
【００６５】
引込み位置から始動位置への回転子の引寄せ運動を通し、重なり合い相互作用する各永久磁石極１４Ａおよび回転子極間の磁束は、極の重なりが増大するに従い徐々に増加するため、反時計回りのトルクが、始動位置に到達するまで回転子１２に対して与えられる。
【００６６】
始動位置では、２つの初めに述べた回転子極１６Ａの各々は、それぞれ上側および下側の永久磁石極１４Ａと磁気的に整列し、回転子極１６Ａの前端部の補助極部分１６′の部分は、永久磁石極を超えて反時計回り方向に延在し、回転子極の後端部は永久磁石極の補助極部分１４′に対向して位置決めされる。これは図１Ｅに示されている。
【００６７】
図１Ｅはまた、引込み位置から始動位置への引寄せ運動中の、回転子リラクタンス極１６の前端部１６″の重なり合う位置ｄに対する、永久磁石極１４および回転子リラクタンス極１６間に作用する引寄せ力Ｆを示す、図１Ａから１Ｄに示されるモータの実施例を表わすグラフを含む。図１Ｅの右側部分では、回転子リラクタンス極１６Ａの引込み位置が一点鎖線で示される。
【００６８】
このグラフは、引込み位置における、永久磁石極１４Ａの補助極部分１４′と回転子リラクタンス極１６Ａの補助極部分１６′との間の重なり（正および負）の異なる量に対する、回転子リラクタンス極１６に作用する引寄せ力を示す。
【００６９】
図１Ｅから、引込み位置における重なりが−１ｍｍ、すなわちリラクタンス極１６の前端部１６″が永久磁石極から負または時計回り方向に１ｍｍ間隔がおかれていれば、引寄せ力は非常に小さいことが明らかである。前端部１６″が補助極部分１４′の端部に対向していれば（０の重なり）、引寄せ力は実質的に大きくなり、約１ｍｍという正の重なりでは、補助極部分１６′に対する引寄せ力は、最大または最大に近く、この場合、約１ｍｍの負の重なりに対する引寄せ力の３から４倍である。回転子リラクタンス極１６の非対称に関連する固定子永久磁石極１４の非対称はこのようにして、回転子のリラクタンス極のみがＷＯ９２／１２５６７で開示されているモータにおけるような非対称である場合と比較して、引寄せ力の初期値の大幅な増大をもたらす。この引寄せ力の増大が、本発明に従うモータの応用分野を拡大する。
【００７０】
図１Ｅより、引寄せ運動中重なりが徐々に増大するにつれて、引寄せ運動の第１の部分の間すなわち主極部分が重なり合い始めるまで引寄せ力はおよそ一定のままである。継続される引寄せ運動中、引寄せ力は初めに増大し次に徐々に減少しリラクタンス極１６Ａが始動位置に到達する際には０になる。
【００７１】
さらに、図１Ｅは、引込み位置から始動位置への回転子リラクタンス極１６Ａの反時計回りの引寄せ運動中、永久磁石極１４Ａは、永久磁石極１４Ａの円周方向の大きさよりも大きな円周方向の距離を通して、回転子リラクタンス極に十分な引付け力を与えることを示している。上記距離は、前端部１６″が永久磁石極１４Ａの補助極部分１４′の端部１
４″に対向するかまたは端部１４″から時計回り方向にほんのわずかに間隔がおかれている位置から、前端部１６″が永久磁石極を十分に過ぎるポイントまでである。
【００７２】
回転子極が始動位置にあり、巻線コイル１５に再びエネルギが供給されるとき、すべての４つの回転子極１６Ａの補助極部分１６′はしたがって、回転子の回転方向において見られるようにその前方の固定子リラクタンス極１３Ｓの近くにある。他方、各回転子極の後端部のその後ろの固定子リラクタンス極からの間隔は十分なものである。固定子リラクタンス極１３Ｓおよびその後ろの回転子リラクタンス極１６Ａの前端部１６″間の反時計回り方向における磁気の引付けはこのように、次の固定子リラクタンス極（すなわち回転子極の後ろのリラクタンス極）により同じ回転子極の後端部に与えられる時計回り方向における磁気の引付けを優に上回るであろう。
【００７３】
したがって、固定子リラクタンス極１３Ｓにより回転子に与えられる正味トルクは、反時計回り方向に作用し、大きいものであるので、モータは考え得る負荷に対向して始動することができるだろう。再び、巻線コイルのエネルギ供給の結果として発生する磁束は、永久磁石極１４Ａにより発生する磁束に対向するため、永久磁石極は始動位置からの運動に実質的に反作用するものではない。
【００７４】
他の図面に示された実施例は、図１Ａ−１Ｄにおいて示された実施例と異なる場合のみ説明される。すべての実施例に対し同じ表記が使用され、末尾につけられる文字ＡまたはＳは非対称または対称を示している。特に述べられていなければ、極に関する「対称」および「非対称」は、幾何学上の対称または非対称（これは磁気的対称または非対称に対応しても対応していなくてもよい）よりもむしろ磁気的な対称または非対称に関する。
【００７５】
図２Ａ−２Ｃにおけるモータは、固定子極に関してのみ図１Ａ−１Ｃと異なる。より具体的には、各固定子極群における一方の固定子リラクタンス極１３Ａは、回転子極１６Ａの補助極１６′と同じタイプの補助極１３′に対し磁気的に非対称であり、一方、他方のリラクタンス極１３Ｓおよび永久磁石極１４Ｓは磁気的に対称である。補助極部分１３′は、回転子極が始動位置にあり巻線コイルにエネルギが供給されたとき補助回転子極部分１６′の上記の効果を増幅させる。
【００７６】
図３Ａおよび３Ｂにおけるモータもまた、固定子極に関してのみ図１Ａ−１Ｃのモータと異なる。この場合、各固定子極群における固定子リラクタンス極１３Ａおよび１３Ｓは、図２Ａおよび２Ｂにおけるものと同様である、すなわち一方が非対称であり他方が対称である。しかしながら、永久磁石極１４Ａは回転子補助極１６′と同じタイプの補助極１４′に対して非対称であり、その非対称は固定子リラクタンス極１３Ａの非対称と同じ方向に向けられている。結果として、非対称はこのモータにおけるすべての３つの極のタイプにおいて存在する。
【００７７】
図２Ａ、２Ｂ、３Ａ、３Ｂ、および以下のいくつかの図は、極群におけるリラクタンス極であれ永久磁石極であれ何らかのタイプのすべての極が、必ずしも対称または非対称という点において同種のものである必要はないことを示している。これはすべての実施例について当てはまることである。
【００７８】
図４Ａ、４Ｂのモータは、各極群において２つの対称固定子リラクタンス極１３Ｓおよび１つの非対称固定子永久磁石極１４Ａを、固定子１１に関する限りは有しており、したがって、図１Ａ−１Ｃにおけるモータと一致する。しかしながらこの場合、回転子１２Ｃは前述の実施例における回転子１２と異なった設計のものであり、これは一部は、同じように対向する補助極１８′と非対称な永久磁石極１８ＡＮおよび１８ＡＳのみを有するからであり、一部はこれら永久磁石極が回転子本体の周辺に間隔を設けずに配置されており
、隣接する極がそれぞれＮおよびＳという反対の極性を有するためである。
【００７９】
図５Ａおよび５Ｂにおけるモータでは、各固定子極群は２つのみのリラクタンス極すなわち対称リラクタンス極１３Ｓのみを有し、固定子１１には従って永久磁石極はない。回転子１２Ｃは図４Ａおよび４Ｂにおける回転子と同様であるが、永久磁石極１８ＡＮおよび１８ＡＳはわずかに異なるように成形されている点のみが異なる。
【００８０】
図６Ａ、６Ｂにおけるモータでは、図２Ａ−２Ｂにおけるモータのように、固定子極群は１つの非対称および１つの対称のリラクタンス極１３Ａおよび１３Ｓをそれぞれ有し、これは対称永久磁石極１４Ｓと組合され、一方回転子１２Ｃは図４Ａおよび４Ｂにおける回転子と同様である。
【００８１】
図７Ａおよび７Ｂにおけるモータは、図３Ａおよび３Ｂにおけるモータと同じタイプの固定子極群を有する。すなわち、１つの非対称のおよび１つの対称のリラクタンス極１３Ａおよび１３Ｓをそれぞれ備え、さらに非対称永久磁石極１４Ａならびに図４Ａ、４Ｂ、６Ａ、および６Ｂと同じ設計の回転子１２Ｃを備える。
【００８２】
図８Ａおよび８Ｂにおけるモータの固定子極群は非対称のリラクタンス極１３Ａしか備えず、したがって永久磁石極はなく、回転子は図４Ａ、４Ｂ、６Ａおよび６Ｂにおける回転子と非常に似ている。
【００８３】
図９Ａおよび９Ｂにおけるモータでは、固定子極群は、図７Ａおよび７Ｂにおけるモータの極の組合せに対応する極の組合せ、すなわち回転子の交流極性の対称の永久磁石極１８ＳＮおよび１８ＳＳとともに非対称のリラクタンス極１３Ａ、対称のリラクタンス極１３Ｓおよび非対称の永久磁石極１４Ａを有するものが使用される。
【００８４】
図８Ａおよび８Ｂにおけるモータと同様、図１０Ａおよび１０Ｂにおけるモータは、リラクタンス極のみを備える固定子極群を有する、すなわち、比較的長い補助極１３′とともに非対称のリラクタンス極１３Ａを有する。図９Ａおよび９Ｂにおけるモータのように、回転子１２Ｃは磁気的に対称な永久磁石極１８ＳＮおよび１８ＳＳのみを有し、この場合はしかしながら部分的に斜めにされた端部を備えている。
【００８５】
図１１Ａおよび１１Ｂは、回転子１２Ｄが図１Ａから１Ｄにおける回転子１２Ｃに類似するモータを示しているが、異なる点は、３つの非対称のリラクタンス極１６Ａを備えることである。この場合、固定子１１Ｄは円形であり、永久磁石極のみが与えられている、すなわち、２つの直径方向に対向する群である非対称の永久磁石極１４ＡＮおよび１４ＡＳであり、各群は交流極性の２つの間隔がおかれた極ＮおよびＳを含み、極のピッチは回転子極ピッチの２分の１である。さらに、このモータにおいては、巻線コイル１５には交流極性の電流パルスが供給される。巻線コイル１５Ｄは前述の実施例の巻線コイルと、固定子１１Ｄのまわりに部分的にトロイド状（環状）に巻付けられている点のみが異なっている。
【００８６】
固定子および回転子の極の他の組合せもまた、本発明の範囲内で可能である。上記に示し説明した極の配置に加え、以下のリストは本発明の範囲内の極の配置の例を含む。
Ｉ．固定子における対称リラクタンス極
Ａ．固定子における非対称永久磁石極
（対称または非対称配置）
１．回転子におけるリラクタンス極
ａ．非対称リラクタンス極                                      図１
ｂ．対称リラクタンス極                                      −−−
２．回転子における永久磁石極
ａ．非対称永久磁石極
（対称または非対称の極の列に配置される。）                    図４
ｂ．対称永久磁石極
（対称または非対称の極の列に配置される。）
Ｂ．対称永久磁石極
（固定子における非対称配置）
１．回転子におけるリラクタンス極
ａ．非対称リラクタンス極
ｂ．対称リラクタンス極                                      図１２
Ｃ．固定子における永久磁石極の欠如
１．回転子における永久磁石極
ａ．非対称永久磁石極                                          図５
ｂ．非対称の極の列に配置された対称永久磁石極
ＩＩ．固定子における非対称リラクタンス極
Ａ．固定子における対称永久磁石極
１．回転子におけるリラクタンス極
ａ．非対称リラクタンス極                                      図２
ｂ．対称リラクタンス極                                      −−−
２．回転子における永久磁石極
ａ．非対称永久磁石極                                          図６
Ｂ．固定子における非対称永久磁石極
１．回転子におけるリラクタンス極
ａ．非対称リラクタンス極                                      図３
ｂ．対称リラクタンス極                                      −−−
２．回転子における永久磁石極
ａ．非対称永久磁石極                                          図７
ｂ．対称永久磁石極                                            図９
Ｃ．固定子における永久磁石極の欠如
１．回転子における永久磁石極
ａ．非対称永久磁石極
（対称または非対称の極の列に配置される。）                    図８
ｂ．対称永久磁石極
（対称または非対称の極の列に配置される。）                  図１０
ＩＩＩ．固定子のみにおける対称永久磁石極
Ａ．対称の極の列に配置される固定子極
１．回転子におけるリラクタンス極
ａ．非対称リラクタンス極
Ｂ．非対称の極の列に配置される固定子極
１．回転子におけるリラクタンス極
ａ．非対称リラクタンス極
ｂ．対称リラクタンス極
ＩＶ．固定子における非対称永久磁石極
Ａ．対称の極の列に配置された固定子極
１．回転子におけるリラクタンス極
ａ．非対称リラクタンス極                                    図１１
ｂ．対称リラクタンス極
Ｂ．非対称の極の列に配置された固定子極
１．回転子におけるリラクタンス極
ａ．非対称リラクタンス極
ｂ．対称リラクタンス極
図１２Ａおよび１２Ｂは、これもまた本発明の範囲内であるモータを示す。すべての個々の極は固定子におけるものおよび回転子におけるもの双方、磁気的に対称である。このモータにおいて、本発明の目的は、その代わりに、固定子における極群内の磁気非対称により、すなわち、極群の１対の対称のリラクタンス極間の対称の永久磁石極の非対称の位置決めにより達成される。回転子にもまた対称のリラクタンス極が設けられているため、図１２Ａおよび１２Ｂに示されるモータはまた上記のカテゴリ化したもののカテゴリＩ．Ｂ．１．ｂ．に属するものと見なし得る。
【００８７】
より具体的には、図１２Ａおよび１２Ｂに示されるモータは、図１Ａから１Ｄに示されるリラクタンス極と同様のリラクタンス極１３Ｓを有する固定子１１を含む。回転子１２はまた図１Ａから１Ｄの回転子に類似するが、その極１６には、前端部および後端部双方に補助極部分１６′が設けられており、これら補助極部分の円周方向の大きさがより小さいことのみが異なっている。
【００８８】
各極群は、２つのリラクタンス極１３Ｓの一方に隣接して非対称または中心をはずれた位置に配置される矩形の磁気的に対称の永久磁石極１４を含む。２つの永久磁石極１４はレバー２１を含む共通のアクチュエート（駆動）メカニズム２０に接続される。モータの動作において、永久磁石極１４は選択された中心をはずれた位置において静止しているが、図１２Ａにおける実線で示される位置から下方向にレバー２１をシフトさせることにより、永久磁石極１４を図示された中心をはずれた位置から他方の固定子リラクタンス極１３Ｓに隣接する対応の中心をはずれた位置（図１２Ａおよび１２Ｂにおける一点鎖線で示される）へと円周方向に移動させ、回転子の回転の優先方向を反対にすることができる。
【００８９】
回転子１２は、引込められたまたは引付けられた位置の極１６とともに示される。この位置では、２つの回転子極すなわち左上の極および右下の極の後端部（回転子の反時計回りの回転を仮定する）での補助極部分１６′は、各永久磁石極１４の一方の端部に非常に近接しており、好ましくは、各永久磁石極および回転子極の隣接するものの一方の間にわずかに重なりがある。各永久磁石極１４および他方の隣接する回転子極の対向する側の間隔は十分にある。
【００９０】
したがって、図示の引込められた回転子位置では、各永久磁石極１４およびその前方の回転子極１６間の磁気的な引付けは、回転子の回転方向においてみられるように、永久磁石極およびその後方の回転子極間の磁気的な引付けを大幅に上回るであろう。回転子が図示の位置にあり巻線コイル１５における電流が遮断されるとき、永久磁石極１４はしたがって、回転子を時計回り方向に始動位置へと引くであろう。
【００９１】
始動位置では、回転子極１６の前端部の補助極部分１６′は、その前方の２つの固定子リラクタンス極１３Ｓに非常に近接しており好ましくはわずかに重なっている。巻線コイル１５に再びエネルギが供給されると、これらリラクタンス極はしたがって強制的に回転子を、図１Ａから１Ｅについて先に述べたように、始動位置から離れるように反時計回り方向に押すことができる。
【００９２】
図１３Ａから１３Ｄは、図１Ｂ、２Ｂ、３Ｂなどに相当する図であり、固定子における１対のリラクタンス極間の永久磁石極の磁気的に対称および非対称の位置決めの概念をさらに解明するのに役立つ。この４つの図面は、永久磁石極の４つの異なる形状を、すべての図面において同じであり図１Ａおよび１Ｂと同様の固定子および回転子リラクタンス極の組合せとともに示す。すべての４つの図面は、始動位置における回転子リラクタンス極１６Ａを示し、これは永久磁石極１４Ｓ（図１３Ａ）または１４Ａ（図１３Ｂから１３Ｄ）と磁気的に整列しており、固定子極群に関連づけられる巻線には電流がない。
【００９３】
始動位置では、永久磁石極１４Ｓおよび１４Ａにより回転子リラクタンス極１６に与えられる力は、円周方向においては０であるが、整列した位置からの回転子極の何らかのずれに応答して、永久磁石極および回転子極間の引付け力は、回転子極を始動位置に戻す円周方向の成分を増大させるであろう。
【００９４】
比較のために含まれ、ＷＯ９２／１２５６７に示されるものに対応する対称極構造を示す図１３Ａにおいては、永久磁石極１３Ｓは完全に回転子リラクタンス極１６の主極部分１６Ａに重なる。図１３Ｂ−１３Ｄは、永久磁石極（図１３Ｂ−Ｄ）の非対称の形状により、および／またはその非対称の位置決め（図１３Ｄ）により非対称である、本発明に従う異なる固定子極構成を示す。
【００９５】
図１３Ｄでは、極１３Ｓおよび１４Ａからなる固定子極群は、永久磁石極１４の極の非対称により、かつその極のわずかに非対称の位置決めにより（左側の固定子リラクタンス極１３Ｓに向かっている）、非対称であり、その結果、２つの固定子リラクタンス極１３Ｓ間の回転子リラクタンス極１６Ａのわずかに非対称に整列する位置がもたらされる。結果として、回転子極１６Ａが右側の回転子リラクタンス極と磁気的に整列する位置から、永久磁石極１４Ａと磁気的に整列する位置まで運動するときに横切る距離は、最後に述べた位置から、左側のリラクタンス極１３Ｓと磁気的に整列する位置までの横切る距離よりもわずかに長い。
【００９６】
極の非対称の位置決めの結果発生する回転子の磁気的な非対称は図面には示されていないが、個々の極の非対称単独または組合せで、固定子−回転子極システムにおけるこのような非対称もまた可能である。たとえば、図４Ａ、４Ｂから図１０Ａ、１０Ｂに示されたような種類の回転子では、一方の極性の永久磁石極が他方の極性の永久磁石極と交互にされ、一方の極性の永久磁石極は、他方の極性の近接する永久磁石極間に中心位置からいずれかの円周方向にまとめてずらすことが可能であり、同様の極性の極の各組における極はなお十分に均一的に間隔をあけられている。
【００９７】
図面に示されたすべての実施例において、固定子および回転子は、図１Ｄに示されるように、薄い電気的な鋼板の積層からなる（この場合板の厚みは図を明確にするために非常に強調されている）。
【００９８】
固定子リラクタンス極１３Ｓまたは１３Ａを形成する板の部分では、２つおきの固定子板１１Ａはわずかに減じられているため、エアギャップ１７に面する湾曲した板のエッジ１１Ｂは、近傍の板に関し外向きに放射方向にオフセットされている。図１Ａおよび図１Ｄの下部を参照されたい。言い換えれば、２つおきの板１１Ｃのみが、エアギャップ１７まで延在し、一方介在する板１１Ａの端部はエアギャップ１７に達しない。同様のリラクタンス極設計は、固定子および回転子双方にリラクタンス極が設けられる、すべてのモータの固定子および／または回転子において与えられるまたは与えられ得る。
【００９９】
リラクタンス極の極の面での板の積み重ねをこのように薄くすることは、回転子リラクタンス極が固定子リラクタンス極を通過して運動する際に生じる固定子および回転子リラクタンス極間のエアギャップの磁束の変化が、極の重なり合う領域の変化に比例することを確実にするのに役立つ。言い換えれば、極の重なり合う領域における磁束密度が実質的に、磁束変化が磁気回路の異なる領域における磁気飽和により制限されない限りは実質的に一定であることを確実にするのに役立ち、そのため、極の相互作用により成長するトルクはできるかぎり均一となる。
【０１００】
磁気的には、２つおきの板のリラクタンス極部分の低減または短縮の効果は、極の面を
横切る飽和磁束密度の平均値を５０％低減することであり、鉄損の大部分が生じる積層の大部分における磁気誘導の揺れ（磁束密度がモータの動作サイクルにわたり変化する間隔）を減じる目的に役立つ。
【０１０１】
図１４Ａおよび１４Ｂは、極の面においてリラクタンス極を薄くするための変形技術を示す。この変形技術は、増大した動作周波数で運転するモータに適切なものであり、上記の単一層のモータに限定されるものではなく、固定子および回転子双方にリラクタンス極を有するすべてのモータに一般には応用可能である。たとえば、ＷＯ９０／０２４３７およびＷＯ９２／１２５６７に開示された種類のモータは、この変形技術に従い設計される固定子および／または回転子のリラクタンス極を有することが可能である。
【０１０２】
増大されたモータ速度には、モータのための電流源の増大された動作周波数が必要である。しかしながら、増大された動作周波数には、増大した鉄損が伴われる。鉄損の増大を回避するためのある技術は、成層についてより薄い板を使用することにあるが、板の厚みを減じれば、自動製造設備を使用することが困難または不可能になるであろう。他の技術は、３つのうち２つを低減または短縮することにあるが、この技術は多くの場合満足を得られるものではない。
【０１０３】
本発明のさらなる目的は、増大された周波数で動作するモータに適応可能なリラクタンス極設計を提供することでもあり、これがなければ上記の技術のいずれかに頼らなければならない。
【０１０４】
本発明のこの局面に従うと、増大された動作周波数での誘導の揺れの所望の低減は、図１Ａ−１Ｄに示されるタイプのリラクタンス極において、エアギャップにまで延在する板にリセス（窪み）を設けることにより達成され、この窪みは、極における磁束に与えられる板の断面領域を収縮し、したがって、極が極の面で磁気的に飽和する原因である磁束密度の低減に貢献する。
【０１０５】
窪み（リセス）は、板の断面にわたり実質的に均一に分布しているべきものである。窪みは穴の形式をとってもよい。すなわち、エアギャップに対して開放していない開口でもよく、または、好ましくは狭い通路を介してエアギャップと連通する開口の形式をとってもよい。幅広い通路は望ましくない、というのも、広い通路は他のモータ部分のリラクタンス極の面に渦電流を生じさせるからである。
【０１０６】
図１４Ａおよび１４Ｂでは、図１Ａ−１Ｄに示されるモータの固定子のリラクタンス極、すなわち上側の固定子極群において右の方にある固定子リラクタンス極１３Ｓについての変形例が示される。図１４Ａは、１つの板１１Ａの短縮されたリラクタンス極部分を示し、図１４Ｂは、近隣の板１１Ｃの全長リラクタンス極部分を示す。エアギャップ１７近くの領域では、この部分には、閉じられた輪郭を有ししたがってエアギャップ１７に面する湾曲したエッジ１１Ｅと接続しない細長い開口の形の３つの窪み１１Ｄが設けられる。この３つの窪みは湾曲したエッジの長さに沿い均一に分布している。
【０１０７】
板の窪みを設けられた部分を設計するときには、以下の実験式が役立つ。
【０１０８】
ΔＢ2 ＝ΔＢ1 （ｆ1 ／ｆ2 ）1/1.2
この等式では、ΔＢおよびｆはそれぞれ、誘導の揺れおよび動作周波数を示し、指数１および２は、２つの異なる動作条件を示す。等式から明らかになるように、鉄損を変化させずに動作周波数を増大するには、動作周波数の増大に対する正比例未満の誘導の揺れの減少が必要である。たとえば、動作周波数を２倍にするには、鉄損を変化させないためには、誘導の揺れをもとの値の５６％に減じることが必要である。動作周波数が引上げられる
と、鉄および銅の損失を調整しておよそ等しくし、トルク発生に最適なものとすることができる。したがって、磁束密度は変化しない鉄損に対応する磁束密度よりも大きいものとして選択できる。
【０１０９】
上記のように鉄の板の窪みを設けることは、リラクタンス極の面での飽和磁束密度を低減するが、同じモータの大きさに対するエアギャップパワーの実質的な増大は、達成できるだろう。なぜなら、モータ速度を、必要とされるモータトルクの減少よりも増大できるからである。
【０１１０】
当然、上記の原則に従う板のリラクタンス極部分に窪みを設けることは、すべての板のリラクタンス極部分が図１Ｄおよび１４Ｄにおける板１１Ｃについて示されたようなエアギャップまで延在するモータに適用できる。所望であれば、窪みは近隣の板について異なるものとすることができる。
【０１１１】
代替実施例
以下の代替モータは、巻線を備える極群から組立てられ、回転または線形運動のために成形され得る。
【０１１２】
回転モータは以下を有し得る。
１．円柱形、円錐形、ディスク形状などのエアギャップ表面。原則的には、静止した軸に関する母線回転を描くことが可能な何らかの形状の表面。
２．外部回転子。
３．固定子および回転子における極の数の差。それぞれ、たとえば部分化された固定子の場合任意的なものでもよい。
４．円柱形のエアギャップ表面および内部回転子を備えるモータでは、いくつかの極群を配置して同じ面における電気的な鉄の積層により接続されるものでもよい（図面に示された実施例と同様）。モータは、共通の回転軸に沿ういくつかのこのような「モータディスク」からなるものでもよい。
【０１１３】
こうしたディスクはその代わりとして、個々に閉じられた磁束経路なしで設計されてもよく、その代わりに軸方向に導かれた磁束経路により接続される。このような配置の例は、ＷＯ９０／０２４３７に見うけられる。「モータディスク」は、たとえば２つの「モータディスク」について共通のコイルにより磁化可能である。
５．「モータディスク」間に軸方向の磁束接続を備えるモータについては、巻線は、回転軸を囲む円柱のコイルからなるものでもよい（このような配置の例はＷＯ９２／０２４３７に示される）。この場合、たとえば、回転部分は、そうでなければ静止している極のタイプを含み得る。その逆でもよい。
６．固定子がリラクタンス極も永久磁石極も有さず、したがって１つのタイプの極のみを有するモータは、固定子極の場所を回転子極の場所と交換することにより、本発明の範囲内で変形できる。このようなケースの例は、図５Ａ、５Ｂ、８Ａ、８Ｂ、１０Ａおよび１０Ｂのモータである。こうしたモータではしたがって、固定子のリラクタンス極は、回転子のリラクタンス極に対応する永久磁石極と交換でき、回転子の永久磁石極は固定子の永久磁石極に対応するリラクタンス極と交換できる。図１１Ａおよび１１Ｂは、図８Ａおよび８Ｂにおけるモータのこのような変形例を示す。
７．モータにおける極、たとえば、リラクタンス極の形状および／または分布は、固定子および回転子間の磁気力を変化させることにより生じる雑音および振動ができるかぎり減じられるように選択できる。このタイプの既知の方策の例は、斜めにされた極のエッジ、または回転子の周囲に沿う極のわずかに不均等な分布、または固定子における極群における極のピッチおよび回転子における極のピッチ間の何らかの相違である。種々の方策を組合せることも可能である。
８．固定子における各群の２つまたは他の偶数のリラクタンス極を備え、固定子に永久磁石極を備えないモータでは、図示の実施例では極群の中央部に延びている軟磁性の固定子ヨーク部分を除去することができ、除去してもモータの磁気機能には影響を及ぼさない。スペーサとしての上記固定子のヨーク部分の機械的機能は、非磁性スペーサ手段のものと置換えることができる。
９．極群を磁化するための図１から１２に示されたコイルはまた異なる配置にすることができることが理解されるであろう。たとえば、極群間のヨークを囲む変圧器タイプのコイル、または図１１Ａに示されるようなものである。固定子ヨークはまた、分割可能であり、そうすることにより予め巻かれたコイルの使用が可能になる。たとえば小さなモータでは、２つの極群を接続する２つのヨークを、２倍の断面を有する単一のヨークと置換え、ヨークを囲む単一のコイルを備えることがコスト上は有利であろう。このような配置は、小さなくま取りコイル形モータおよびＤＣモータにおいては既知である。
１０．ＷＯ９０／０２４３７で述べられるように、単一の極性の電流パルスの供給を受けるモータにおいてただ一つの電子スイッチ素子を使用することを可能にするには、磁界エネルギを、動作巻線と並列に巻かれるフィードバック巻線によりＤＣ源に戻すことができる。
【図面の簡単な説明】
【０１１４】
【図１】図１Ａは、回転モータの第１の実施例の端面図を示す。図１Ｂは、エアギャップ内部から見た、動作位置から軸方向にずらされた、しかしさもなければ図１Ａでとる互いに関連する位置にある、モータにおける極の列の一部の展開図である。図１Ｃは、図１Ａと同じ方法でモータを示す。図１Ｄは、図１のモータの縦方向の断面図である。図１Ｅは、図１Ｂと同様の図である。
【図２】図２Ａ、２Ｂおよび２Ｃは、図１Ａ、１Ｂおよび１Ｃに対応する態様で第２の実施例を示す。
【図３】図３Ａ、３Ｂは、図１Ａおよび１Ｂに対応する態様でさらなる実施例を示す。
【図４】図４Ａ、４Ｂは、図１Ａおよび１Ｂに対応する態様でさらなる実施例を示す。
【図５】図５Ａ、５Ｂは、図１Ａおよび１Ｂに対応する態様でさらなる実施例を示す。
【図６】図６Ａ、６Ｂは、図１Ａおよび１Ｂに対応する態様でさらなる実施例を示す。
【図７】図７Ａ、７Ｂは、図１Ａおよび１Ｂに対応する態様でさらなる実施例を示す。
【図８】図８Ａ、８Ｂは、図１Ａおよび１Ｂに対応する態様でさらなる実施例を示す。
【図９】図９Ａ、９Ｂは、図１Ａおよび１Ｂに対応する態様でさらなる実施例を示す。
【図１０】図１０Ａ、１０Ｂは、図１Ａおよび１Ｂに対応する態様でさらなる実施例を示す。
【図１１】図１１Ａ、１１Ｂは、図１Ａおよび１Ｂに対応する態様でさらなる実施例を示す。
【図１２】図１２Ａ、１２Ｂは、図１Ａおよび１Ｂに対応する態様でさらなる実施例を示す。
【図１３】図１３Ａから１３Ｄは、固定子における永久磁石極の形状および配置について互いに異なる極の組合せの、図１Ｂに類似する展開図である。
【図１４】図１４Ａ、および１４Ｂは、図１Ａおよび１Ｂに示されるモータの固定子リラクタンス極の変形を示す部分図断片図である。
【符号の説明】
【０１１５】
１１  第１のモータ部分、１５  巻線システム、１６  第２のモータ部分、１７  エアギャップ、Ｓ  第１の極の列、Ｒ  第２の極の列、１３’，１４’，１６’，１８’  補助極部分、１３Ａ，１３Ｓ，１６Ａ  リラクタンス極、１４Ａ，１４Ｓ，１４ＡＮ，１４ＡＳ，１８ＡＳ，１８ＡＮ  永久磁石極。
【図１】
2006174699.tif 000003
【図２】
2006174699.tif 000004
【図３】
2006174699.tif 000005
【図４】
2006174699.tif 000006
【図５】
2006174699.tif 000007
【図６】
2006174699.tif 000008
【図７】
2006174699.tif 000009
【図８】
2006174699.tif 000010
【図９】
2006174699.tif 000011
【図１０】
2006174699.tif 000012
【図１１】
2006174699.tif 000013
【図１２】
2006174699.tif 000014
【図１３】
2006174699.tif 000015
【図１４】
2006174699.tif 000016